(57)【要約】【課題】本発明は、表面に浮造が施され、且つ表面の一部が切削された無垢材のような外観を呈することができる化粧板、及びこの化粧板の製造方法を提案することを課題とする【解決手段】本発明の化粧板１００は、木質基材１の化粧面１０の一部に目地溝２を有し、化粧面１０の他の一部にパターン溝４を有する。目地溝２は、化粧面１０を切削することで形成されたものであり、目地溝２を含む化粧面１０全体には、下地塗料３が塗装されている。パターン溝４は、下地塗料３が塗装された化粧面１０をプレスすることで形成されたものであり、目地溝２とパターン溝４とを含む化粧面１０全体には、柄模様５が塗装されている。【選択図】図１
2015016663.tif 000002
【特許請求の範囲】
【請求項１】
木質基材の化粧面の一部に目地溝を備え、前記化粧面の他の一部にパターン溝を備え、
前記目地溝は、前記化粧面を切削することで形成されたものであり、
前記目地溝を含む前記化粧面全体には、下地塗料が塗装され、
前記パターン溝は、前記下地塗料が塗装された前記化粧面をプレスすることで形成されたものであり、
前記目地溝と前記パターン溝とを含む前記化粧面全体には、柄模様が塗料されていることを特徴とする化粧板。
【請求項２】
木質基材の化粧面を切削することで前記化粧面の一部を目地溝とし、
前記目地溝を含む前記化粧面全体に下地塗料を塗装し、
前記下地塗料が塗装された前記化粧面のうち、前記目地溝以外の面をプレスすることで前記化粧面の一部をパターン溝とし、
前記目地溝と前記パターン溝とを含む前記化粧面全体に、柄模様を塗装して、
化粧板を製造することを特徴とする化粧板の製造方法。
【発明の詳細な説明】
【技術分野】
【０００１】
本発明は、化粧板及び化粧板の製造方法に関するものである。
【背景技術】
【０００２】
従来から、建築物の内装材や建具の表面化粧材等として、例えば、無垢材が用いられる。無垢材は、表面に浮造を施して木目を浮き上がらせることによって、木の風合いが更に強調される。
【０００３】
しかし、無垢材は、天然素材であるため、入皮や金筋（鉱物質が筋状に集積したもの）等が生じて、品質が安定しにくい。
【０００４】
そこで、無垢材に似た外観を呈する化粧板として、木目等の模様が印刷された化粧シートを、ＭＤＦ（中密度繊維板）等の木質基材に貼着した化粧板が特許文献１等によって提案されている。
【０００５】
特許文献１の化粧板は、表面の一部に目地模様をなすＵ溝が切削されており、このＵ溝には着色透明樹脂が塗布されている。
【先行技術文献】
【特許文献】
【０００６】
【特許文献１】特開平５−５７８６４号公報
【発明の概要】
【発明が解決しようとする課題】
【０００７】
しかし、特許文献１の化粧板は、表面に印刷された模様が立体的でないため、木目が浮き上がった無垢材のような外観を呈することが難しい。また、特許文献１の化粧板は、模様の印刷された化粧シートがＵ溝に貼着されていないため、表面の一部が切削されて切削断面に木目が表示される無垢材のような外観を呈することが難しい。
【０００８】
上記事情を鑑みて、本発明は、表面に浮造が施され、且つ表面の一部が切削された無垢材のような外観を呈することができる化粧板、及びこの化粧板の製造方法を提案することを課題とする。
【課題を解決するための手段】
【０００９】
上記課題を解決する本発明の化粧板は、木質基材の化粧面の一部に目地溝を備え、前記化粧面の他の一部にパターン溝を備え、前記目地溝は、前記化粧面を切削することで形成されたものであり、前記目地溝を含む前記化粧面全体には、下地塗料が塗装され、前記パターン溝は、前記下地塗料が塗装された前記化粧面をプレスすることで形成されたものであり、前記目地溝と前記パターン溝とを含む前記化粧面全体には、柄模様が塗料されていることを特徴とする。
【００１０】
上記課題を解決する本発明の化粧板の製造方法は、木質基材の化粧面を切削することで前記化粧面の一部を目地溝とし、前記目地溝を含む前記化粧面全体に下地塗料を塗装し、前記下地塗料が塗装された前記化粧面のうち、前記目地溝以外の面をプレスすることで前記化粧面の一部をパターン溝とし、前記目地溝と前記パターン溝とを含む前記化粧面全体に柄模様を塗装して、化粧板を製造することを特徴とする。
【発明の効果】
【００１１】
本発明の化粧板では、木質基材の化粧面をプレスすることで形成されたパターン溝に柄模様が塗装されているため、この柄模様を化粧面に浮き立たせて表示させることができる。そして、本発明の化粧板では、木質基材の化粧面を切削することで形成された目地溝に柄模様が塗装されているため、木質基材の切削断面をなす目地溝の壁面にも柄模様を表示させることができる。したがって、本発明の化粧板は、表面に浮造が施され、且つ表面の一部が切削された無垢材のような外観を呈することができる。
【００１２】
また、本発明の化粧板の製造方法では、木質基材の化粧面に、パターン溝をプレス成形することで、この後、塗装される柄模様を浮き立たせて表示させることができる。そして、本発明の化粧板の製造方法では、木質基材の化粧面を切削して、化粧面の一部を目地溝とし、この目地溝に柄模様を塗装するようにしたことで、木質基材の切削断面をなす目地溝の壁面にも柄模様を表示させることができる。したがって、本発明の化粧板の製造方法では、表面に浮造が施され、且つ表面の一部が切削された無垢材のような外観を呈する化粧板を製造することができる。
【図面の簡単な説明】
【００１３】
【図１】本発明の実施形態の化粧板の製造工程を順に説明する斜視図である。
【発明を実施するための形態】
【００１４】
以下、本発明の実施形態を添付図面に基づいて説明する。
【００１５】
図１には、本実施形態の化粧板１００の製造工程が示されている。本実施形態の化粧板１００は、建築物の内装材や建具の表面化粧材等として用いられる。
【００１６】
化粧板１００は、板状の木質基材１の表面に加工を施したものである。以下、この加工が施される面を化粧面１０という。本実施形態では、木質基材１は、片面が化粧面１０となっているが、両面が化粧面１０となっていてもよい。
【００１７】
木質基材１は、ＭＤＦ（中密度繊維板）である。ＭＤＦは、木質繊維状の材料を接着剤で固めて板状に成形したものである。前記接着剤の含有量は、例えば１０％以上２０％以下である。なお、木質基材１は、木材単板、木材合板、パーティクルボード等であってもよい。
【００１８】
木質基材１は、図１（ａ）に示すように、長手方向の一端部に凸部１１を備え、長手方向の他端部に凹部１２を備える。凸部１１と凹部１２とは、互いに嵌合可能な形状で形成されている。そのため、複数の木質基材１は、凸部１１と凹部１２とを嵌合させることで、長手方向に連結可能である。以下では、木質基材１の長手方向のうち凸部１１を備える側を前方とし、凹部１２を備える側を後方とし、この前後方向に対して直交し、且つ化粧面１０に沿う木質基材１の短手方向を左右方向として、各構成について説明する。なお、木質基材１は、長手方向ではなく、短手方向の一端部に凸部１１を備え、短手方向の他端部に凹部１２を備えたものであってもよい。また、木質基材１は、凸部１１と凹部１２を備えないものであってもよい。
【００１９】
続いて、本実施形態の化粧板１００の製造方法について説明する。
【００２０】
まず、施工者は、図１（ｂ）に示すように、木質基材１の化粧面１０を、カッター等の切削装置（図示せず）によって切削することで、化粧面１０の一部を目地溝２とする。例えば、施工者は、化粧面１０の前端部と後端部と前後方向の中央部とをそれぞれ切削して、目地溝２を形成する。以下では、必要に応じて、化粧面１０の前端部の目地溝２を前目地溝２０といい、化粧面１０の後端部の目地溝２を後目地溝２１といい、化粧面１０の前後方向の中央部の目地溝２を中目地溝２２という。各目地溝２は、化粧面１０の左右方向の全長に亘って形成される。
【００２１】
前目地溝２０は、化粧面１０の前端部を面取りしたものであり、後目地溝２１は、化粧面１０の後端部を面取りしたものである。中目地溝２２は、化粧面１０の前後方向の中央部を三角形状に切り欠いたものである。前目地溝２０と後目地溝２１は、組み合わせることで中目地溝２２と同形状の溝をなすように形成されている。言い換えると、前後に並ぶ２枚の木質基材１を凸部１１と凹部１２との嵌合により連結した際に、前目地溝２０と後目地溝２１とは組み合さって、中目地溝２２と同形状の溝をなす。
【００２２】
次いで、施工者は、図１（ｃ）に示すように、目地溝２を含む化粧面１０全体に、ダイコーターやスプレー等の塗装装置（図示せず）を用いて、下地塗料３を塗装する。なお、図１（ｃ）における斜線部分は、塗装された下地塗料３を示す。例えば、施工者は、化粧面１０の前端である前目地溝２０の前端から、化粧面１０の後端である後目地溝２１の後端まで、下地塗料３を塗装する。このとき、施工者は、化粧面１０の左右方向の全長に亘って、下地塗料３を塗装する。なお、下地塗料３は、化粧面１０のうち、この後の工程で塗装される柄模様５の下地となる箇所以外の部分には塗装しなくてもよい。下地塗料３は、白色または淡色の塗料であり、柄模様５の発色を促す等のためのものである。
【００２３】
次いで、施工者は、図１（ｄ）に示すように、下地塗料３が塗装された化粧面１０のうち目地溝２以外の面を、プレス装置（図示せず）を用いてプレスすることで、化粧面１０の一部をパターン溝４とする。例えば、施工者は、化粧面１０のうち、前目地溝２０と中目地溝２２との間の面と、中目地溝２２と後目地溝２１との間の面を、プレスして部分的に凹ませることで、この２面にパターン溝４を形成する。以下では、必要に応じて、前記２面を加工面という。パターン溝４は、平面視木目状となるように化粧面１０に形成される。なお、このように化粧面１０をプレスすることで、木質基材１は圧縮されて強度が増し、耐久性が向上する。
【００２４】
化粧面１０へのプレスは、例えばロールプレス工法を用いて行われる。この工法で用いられる前記プレス装置のロールの外周面には、パターン溝４に対応する木目柄の突起が設けられている。この突起の突出長さは、形成するパターン溝４の設定深さの約３倍となるように設定されている。施工者は、この突起を前記加工面に前側から順に押し当てていくことで、パターン溝４を設定深さにて前記加工面に形成することができる。なお、前記プレス装置は、前述のロールの外周面に突起を設けたエンボスロールに限らず、プレス面に突起を設けた板状の金型であってもよい。
【００２５】
本実施形態では、木質基材１を、接着剤の含有量が１０％以上２０％以下のＭＤＦとしているため、接着剤を含まない無垢材に比べて、パターン溝４の深さが経年変化によって小さくなりにくい。ここで、接着剤の含有量が１０％未満のＭＤＦは、本実施形態のＭＤＦと比べて、パターン溝４の深さが経年変化によって小さくなりやすく、また、溝形成の際にプレス圧力を高圧としなければならず、保圧時間も増大する傾向がある。そのため、接着剤の含有量が１０％未満のＭＤＦは、現行の技術においては、木質基材１に適していない。また、接着剤の含有量が２０％より上のＭＤＦは、本実施形態のＭＤＦと比べて、パターン溝４の深さが経年変化によって小さくなりにくいが、成形時に金型に接着剤が付着しやすい傾向がある。そのため、接着剤の含有量が２０％より上のＭＤＦは、現行の技術においては、木質基材１に適していない。
【００２６】
次いで、施工者は、図１（ｅ）に示すように、目地溝２とパターン溝４を含む化粧面１０全体に、ロールコーター等のコーティング装置（図示せず）を用いて、柄模様５を塗装する。なお、図１（ｅ）及び図１（ｆ）における斜線部分は、塗装された柄模様５を示す。例えば、施工者は、化粧面１０の前端である前目地溝２０の前端から、化粧面１０の後端である後目地溝２１の後端にかけて、前側から順に柄模様５を塗装する。ここで、柄模様５は、木目状に配置された柄用塗料で構成される。そのため、柄模様５は、各目地溝２には一部に塗装され、パターン溝４には全体に塗装される。
【００２７】
なお、柄模様５は、前記柄用塗料と、この柄用塗料の周囲に配置される別色のベース用塗料とで構成されるものであってもよい。この場合、柄模様５は、化粧面１０全面に塗装される。このとき、前記柄用模様が、各目地溝２の一部と、パターン溝４全体に塗装され、前記ベース用塗料が、化粧面１０の残りの部位に塗装される。
【００２８】
前記ロールコーターの塗装ロールは、目地溝２やパターン溝４に入り込んで塗装できるような硬さのものであり、例えばショアＡ硬度が２０度以下のゴムロールである。前記塗装ロールは、外周面に付着された柄模様５を、化粧面１０へ転写可能なものとなっている。なお、柄模様５の塗装は、インクジェット印刷等の他の印刷方法によるものであってもよい。
【００２９】
次いで、施工者は、図１（ｆ）に示すように、柄模様５が塗装された化粧面１０全体に、ダイコーター等のコーティング装置（図示せず）を用いて、保護塗料６を塗装する。例えば、施工者は、化粧面１０の前端である前目地溝２０の前端から、化粧面１０の後端である後目地溝２１の後端まで、保護塗料６を塗装する。このとき、施工者は、化粧面１０の左右方向の全長に亘って、保護塗料６を塗装する。なお、保護塗料６は、化粧面１０のうち柄模様５が塗装されていない箇所には塗装されなくてもよい。保護塗料６は、透明または半透明の塗料であり、柄模様５の剥がれを抑制するためのものである。
【００３０】
以上まとめると、本実施形態の化粧板１００の製造方法では、木質基材１の化粧面１０を切削することで化粧面１０の一部を目地溝２とし、目地溝２を含む化粧面１０全体に下地塗料３を塗装する。そして、本実施形態の化粧板１００の製造方法では、下地塗料３が塗装された化粧面１０のうち、目地溝２以外の面をプレスすることで化粧面１０の一部をパターン溝４とする。そして、本実施形態の化粧板１００の製造方法では、目地溝２とパターン溝４とを含む化粧面１０全体に柄模様５を塗装して、化粧板１００を製造する。
【００３１】
上述の製造方法で製造された本実施形態の化粧板１００は、木質基材１の化粧面１０の一部に目地溝２を備え、化粧面１０の他の一部にパターン溝４を備える。目地溝２は、化粧面１０を切削することで形成されたものである。目地溝２を含む化粧面１０全体には、下地塗料３が塗装されている。パターン溝４は、下地塗料３が塗装された化粧面１０をプレスすることで形成されたものである。目地溝２とパターン溝４とを含む化粧面１０全体には、柄模様５が塗装されている。
【００３２】
本実施形態の化粧板１００は、木質基材１の化粧面１０に、パターン溝４をプレス成形しているため、化粧面１０に塗装される柄模様５を浮き立たせて表示することができる。そして、本実施形態の化粧板１００は、木質基材１の化粧面１０を切削して、化粧面１０の一部を目地溝２とし、この目地溝２に柄模様５を塗装するようにしたことで、木質基材１の断面をなす目地溝２の壁面にも柄模様５を表示させることができる。したがって、本実施形態の化粧板１００は、表面に浮造が施され、且つ表面の一部が切削されて切削断面に木目が表示される無垢材のような外観を呈することができる。
【００３３】
また、本実施形態の化粧板１００は、化粧面１０の前端から後端へと順に柄模様５を塗装していくようにしたことで、各目地溝２に塗装された柄模様５と、パターン溝４に塗装された柄模様５とを連続的に表示することができる。これにより、本実施形態の化粧板１００は、表面（化粧面１０）にも断面（目地溝２の壁面）にも木目が表示される無垢材に、より近い外観を呈することができる。
【００３４】
また、本実施形態の化粧板１００では、柄模様５の下地として下地塗料３を塗装しているため、下地の色差による影響を受けにくく、柄模様５を安定した色で表示させることができる。
【００３５】
また、本実施形態の化粧板１００では、下地塗料３が塗装された化粧面１０をプレスしてパターン溝４を形成するようにしたことで、パターン溝４を形成した後でこのパターン溝４に下地塗料３を塗装する場合と比べて、パターン溝４を設定深さで形成しやすい。
【００３６】
なお、上述した実施形態の化粧板１００は、パターン溝４及び柄模様５が、平面視木目状のものであったが、これに限定されない。例えば、パターン溝４及び柄模様５は、平面視石目状、布目状等であってもよい。この場合でも、化粧板１００は、化粧面１０に柄模様５を浮き立たせて表示させることができ、また、断面をなす目地溝２の壁面にも柄模様５を表示させることができる。
【００３７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００３８】
１      木質基材
２      目地溝
３      下地塗料
４      パターン溝
５      柄模様
１０    化粧面
１００  化粧板
【図１】
2015016663.tif 000003